(57)【要約】複数のセルのうちの第１セルを介して、移動局とネットワークとの間でデータを送信している（図５）間に、セル再選択を行なうための方法並びに装置であって、前記複数のセルの各々は対応する無線カバレージエリアを規定している。制御スタック（３０５）は、データの送信中にフレームでデータを構成し、調整モジュール（３２４）は、前記複数のセルのうちの第２セルが再選択の候補となっていることが検出される前に、フレームのサイズを調整する。
2004520786.tif 000002
【特許請求の範囲】
【請求項１】
それぞれが対応する無線カバレージエリアを規定している複数のセルのうちの第１セルを介してデータを送信及び受信する移動局であって、
データの送信中にフレーム内にデータを構成する制御スタックと、
前記複数のセルのうちの第２セルが前記移動局による再選択の候補となっていることが前記移動局によって検出される前に、前記フレームのサイズを調整する調整モジュールとからなる移動局。
【請求項２】
前記第２セルが再選択の候補となっていることを前記移動局が検出することに応じて、前記制御スタックは前記第１セル内での送信に対応する第１フレームサイズを前記調整モジュールに通知し、前記調整モジュールは前記フレームのサイズを第２フレームサイズに設定する、請求項１に記載の移動局。
【請求項３】
前記第２フレームサイズは１００オクテットである、請求項２に記載の移動局。
【請求項４】
前記第２セルを作用セルとして確立する再選択処理の終了に応じて、前記フレームが前記第１フレームサイズに再設定される、請求項２に記載の移動局。
【請求項５】
前記再選択処理の終了は、前記第２セルに対する再選択の完了、前記第２セルに対する再選択の中止、及び前記第２セルの作用セルとしての確立が所定の時間間隔内に完了しないことのいずれか１つに該当する、請求項４に記載の移動局。
【請求項６】
前記第２セルに対する再選択の完了に該当する前記再選択処理の終了に応じて、前記第２セルを介してデータが送信される、請求項５に記載の移動局。
【請求項７】
前記第２セルに対する再選択の中止又は前記第２セルの作用セルとしての確立が所定の時間間隔内に完了しないことのいずれかに該当する前記再選択処理の終了に応じて、前記第１セルを介してデータが送信される、請求項６に記載の移動局。
【請求項８】
前記調整モジュールによって前記フレームのサイズが調整されることに応じて、前記移動局は、データを前記第１セル経由で前記第２フレームサイズを用いて送信し、ひとたび前記第２セルが前記作用セルとして確立されると、前記移動局は、最後の肯定応答されなかったフレームを前記第２セル経由で前記第１フレームサイズを用いて送信する、請求項２に記載の移動局。
【請求項９】
前記第２セルの作用セルとしての確立が所定の時間間隔内に完了しないこと、又は前記第２セルの作用セルとしての確立の中止に応じて、前記制御スタックは前記調整モジュールに通知を行い、前記移動局は、最後の肯定応答されなかったフレームを前記第１セル経由で前記第１フレームサイズを用いて再送信する、請求項８に記載の移動局。
【請求項１０】
前記第２フレームサイズは、チャネル符号化方式毎の無線リンク制御ブロックのペイロードサイズと、頻繁に交換されるパケットについての統計的決定値とに対応する、請求項１に記載の移動局。
【請求項１１】
前記第２フレームサイズは、前記第１セルに残存する時間に基づいて最大サイズに調整され、前記第１セルに残存する時間は、信号強度及び転送すべき残りのデータ量のうちの少なくとも１つによって決定される、請求項１に記載の移動局。
【請求項１２】
対応する無線カバレージエリアを規定している複数のセルを有し、移動局とネットワークとの間でデータを送信するための通信システムであって、
前記複数のセルにそれぞれ存在する基地局と、前記移動局及び前記ネットワークは前記基地局を介してデータを受信及び送信することと、
前記移動局と前記ネットワークとの間のデータ送信中に、フレーム内にデータを構成する制御スタックと、
前記移動局によって、前記複数のセルのうちの第１セルから前記複数のセルのうちの第２セルへの再選択が行なわれる前に、前記フレームのサイズを調整する調整モジュールからなる通信システム。
【請求項１３】
前記第２セルが再選択の候補となっていることを前記移動局が検出することに応じて、前記制御スタックは前記第１セル内での送信に対応する第１フレームサイズを前記調整モジュールに通知し、前記調整モジュールは前記フレームのサイズを第２フレームサイズに設定する、請求項１２に記載の通信システム。
【請求項１４】
データが前記第１セル経由で前記第２フレームサイズを使用して送信され、ひとたび前記第２セルが前記作用セルとして確立されると、最後の肯定応答されなかったフレームが前記第２セル経由で前記第１フレームサイズを用いて転送される、請求項１３に記載の通信システム。
【請求項１５】
前記第２セルの作用セルとしての確立が所定の時間間隔内に完了しないこと、又は前記第２セルの作用セルとしての確立の中止に応じて、前記制御スタックは前記調整モジュールに通知を行い、最後の肯定応答されなかったフレームが前記第１セル経由で前記第１フレームサイズを用いて再送信される、請求項１３に記載の通信システム。
【請求項１６】
（ａ）作用セルとして選択された第１セルを介して第１フレームサイズを有するフレーム内でデータを送信するステップと、
（ｂ）第２セルが作用セルとして再選択の候補となっていることの検出に応じて、第２フレームサイズを有するフレーム内でデータを送信するステップと、
（ｃ）前記第２セルを作用セルとして確立する再選択処理の終了に応じて、前記第１フレームサイズを有するフレーム内でデータを送信するステップとからなる、作用セルを介してデータの送信中にセル再選択を行なうための方法。
【請求項１７】
前記再選択処理の終了は、前記第２セルに対する再選択の完了、前記第２セルに対する再選択の中止、及び前記第２セルの作用セルとしての確立が所定の時間間隔内に完了しないことのいずれか１つに対応する、請求項１６に記載の方法。
【請求項１８】
前記第２セルに対する再選択の完了に応じて、ステップ（ｃ）において前記第２セルを介してデータが送信される、請求項１７に記載の方法。
【請求項１９】
前記第２セルに対する再選択の中止、及び前記第２セルの作用セルとしての確立が所定の時間間隔内に完了しないことに応じて、ステップ（ｃ）において前記第１セルを介してデータが送信される、請求項１８に記載の方法。
【請求項２０】
前記第２フレームサイズは１００オクテットである、請求項１９に記載の方法。
【発明の詳細な説明】
【０００１】
（発明の分野）
本発明は一般にセルラー式パケットデータネットワークに関する。より詳細には、本発明は、セルラー式パケットデータネットワークにおいて複数の隣接するセルの間で再選択を行なう際のデータスループットを最大にするための方法並びに装置に関する。
【０００２】
（背景）
グローバル移動通信システム（ＧＳＭ）汎用パケット無線サービス（ＧＰＲＳ）及びグローバルエボリューションのための拡張データ（ＥＤＧＥ）は、サービス加入者が、回線交換モードでネットワーク資源を利用することなく、エンドツーエンドのパケット転送モードでデータを送信及び受信できるようにするものである。ｉ）パケットベースである、ｉｉ）断続的かつ不定期に生じる、ｉｉｉ）少量のデータ転送（５００未満オクテットなど）が頻繁に発生する可能性がある、ｉｖ）多量のデータ（例えば、数千キロバイト）が稀に発生する可能性がある、のいずれかの特徴を有するデータ転送においては、ＧＰＲＳ、ＥＤＧＥ及び第３世代（３Ｇ）パケット無線サービスを利用すると、無線資源及びネットワーク資源を効率的に利用できるようになる。ユーザーアプリケーションには、インターネットブラウザ、電子メールなどがある。
【０００３】
図１は、本発明の動作を説明するために用いる代表的なセルラー通信システムの概略図である。図１に示すように、セルラー通信システム１００は多数のセル１０２〜１１６を有し、セルの各々は、セル内に存在する固定基地局によって確立される無線カバレージエリアを規定している。例えば、図１に示すように、セル１０２は、セル１０２に存在する基地局１１８によって確立される無線カバレージエリアを規定し、同様に他のセル１０４〜１１６は、各セル１０４〜１１６内の対応する基地局（図示なし）によって確立される対応無線カバレージエリアを規定している。
【０００４】
セルラー式電話機などの移動局が、ユーザーに伴ってセルラー通信システム１００内でｘ地点からｙ地点に移動すると、移動局は、セル１０２〜１１６の基地局からの信号特性を監視し続け、特定の選択基準に基づいて、対応する基地局を介してネットワーク１２０においてパケットデータの送信及び受信を行なうためのセルを選択する。例えば、移動局がセル１１４にいる場合、セル１１４からの信号は、選択基準に基づいて、「最良の」カバレージエリアとしてセル１１４が選択されるような特性を示す。換言すれば、セル１１４は「作用セル」、つまり移動局がパケットデータの送信及び受信を行なうためのセルとして選択される。
【０００５】
移動局は、セル１０２〜１１６からの信号の特性を監視し続ける。その後、図１に示すように、移動局が図に示した経路に沿ってｘ地点からｙ地点に移動すると、移動局は、セル１１４の対応カバレージエリアから、他のセル（例えばセル１１６，１０６）の対応カバレージエリアに移動する。新たなセル（例えばセル１１６）からの信号が、セル１１６が最良のセルであると判断される特性を示す場合、移動局は、セル１１６を作用セルとして再選択する。この状態は、新たなセル（例えば、セル１０６）からの信号が、セル１０６が最良のセルであると判断される特性を示し、移動局がセル１０６を作用セルとして再選択するまで維持される。
【０００６】
移動局のユーザーが、セル１０２〜１１６のうちの２つ以上の対応無線カバレージエリアを移動することがある。このため、現行のＧＳＭ仕様であるＧＳＭ  ０４．６０「デジタルセルラー通信システム（フェーズ２＋）；汎用パケット無線サービス（ＧＰＲＳ）；移動局（ＭＳ）基地局システム（ＢＳＳ）インターフェイス；無線リンク制御／メディアアクセス制御（ＲＬＣ／ＭＡＣ）プロトコル」、欧州電気通信標準化機構（ＥＴＳＩ）、欧州標準（電気通信シリーズ）に準拠する公知の順序整合手順（ｏｒｄｉｎａｌ ｉｎｔｅｇｒｉｔｙ ｍｅｃｈａｎｉｓｍ ）が、パケットデータサービスに取り入れられており、移動局があるセルのカバレージエリアを出て、新たなセルに入るときのデータフローの順序整合性が保証される。
【０００７】
図２は、ＧＰＲＳ／ＥＤＧＥのデータプレーンの一部を示す概略図である。図２に示すように、移動局２００とネットワーク２０２とは、論理リンク制御（ＬＬＣ）層２０４、無線リンク制御（ＲＬＣ）層２０６、メディアアクセス制御層２０８及び物理層２１０など、同じ階層関係にある制御層を共通に有する。移動局２００とネットワーク２０２との間で送信されるパケットデータは、論理リンク制御層２０４で構成され、論理リンク制御フレーム内で送信される。このとき、論理リンク制御フレームは最大１５３０オクテットの、可変長フレームである。論理リンク制御フレームが、このデータプレーンを通って論理的に下方に伝送される際に、このフレームは、２２〜５４オクテットのブロックサイズを有する、複数の無線リンク制御データブロックに分割される。無線リンク制御データブロックの各々は、冗長性を持たせるために、４つの物理層バーストを介してインターリーブされる。
【０００８】
図１，２に示すように、移動局２０２がｘ地点にあり、作用セル、つまりセル１１４を介してネットワーク２０２にＧＰＲＳ／ＥＤＧＥデータを送信している場合、セル１１４は、ネットワーク２０２に送信されるＧＰＲＳ／ＥＤＧＥデータに対応する論理リンク制御フレームから構成される全ての無線リンク制御データブロックを受信して、これらに肯定応答する。作用セル１１４が、移動局２０２から論理リンク制御フレームを受信している間に、移動局２０２が新たな作用セル（例えば作用セル１１６）を再選択した場合、移動局２０２は、セル１１６に対して再選択を行い、セル１１４での現在の一時ブロックフローを中止して、新たに作用セルとなったセル１１６で一時ブロックフローを再確立する。
【０００９】
公知の順序整合方式では、新たな作用セル１１６で一時ブロックフローが再確立されると、移動局２００は、最後の肯定応答されなかった論理リンク制御フレームの最初の無線リンク制御データブロックを送信することによって、自身の無線リンク制御データブロック伝送ウィンドウを再構成して送信を開始する。このため、セル１１４が作用セルであったときに伝送中だった最後の論理リンク制御フレームに対応する無線リンク制御ブロックを全て再送信しなければならない。ところが、これらの無線リンク制御ブロックの一部は作用セル１１４で正常に受信されている可能性がある。例えば、１つの論理リンク制御フレームを送信するために５３個の無線リンク制御ブロックが必要な場合に、再選択の発生時に無線リンク制御ブロック１〜５０が正常に送信されていたと仮定すると、論理リンク制御フレームの送信を続行するためには、無線リンク制御ブロック１〜５０を、破棄し、新たに選択されたセルに再送信する必要がある。
【００１０】
このように、混雑した大都市の環境など、セル再選択が急に発生する可能性の高い環境においては、新たな作用セルに対する再選択が発生する度に、公知の順序整合方式によって、正常に受信された情報の破棄が頻繁に発生するため、データスループットが大幅に低下する。
【００１１】
したがって、ユーザーデータ転送速度に対するセル再選択の影響を低減させるように改良された方法並びに装置が求められている。
新規性を有すると考えられている本発明の特徴は、添付の特許請求の範囲に詳細に記載されている。本発明並びに本発明のその他の目的及び利点は、添付の図面と併せて下記の詳細説明を参照すればより良く理解され得る。添付の図面において、同一の参照符号は同一の要素を参照している。
【００１２】
（好適な実施形態の詳細説明）
本発明は、ユーザーデータスループット速度に対するセル再選択の影響を低減させるための方法並びに装置に関する。現在選択されているセル、すなわち作用セル以外のセルが再選択の候補となると、再選択保留信号が物理層から調整モジュールに送信される。調整モジュールは、現在の論理リンク制御フレームサイズをメモリに記憶する。調整モジュールは、論理リンク制御層に、所定の論理リンク制御フレームサイズを送信する。これによって、所定の論理リンク制御フレームサイズを用いてパケットデータが送信されるようになる。調整モジュールが、他のセルに対する再選択が完了したことを示す再選択完了信号か、又は他のセルに対する再選択が中止されたことを示す再選択中止信号を受信するまで、所定の論理リンク制御フレームサイズを用いてパケットデータが送信される。再選択完了信号が受信された場合、あらかじめ記憶されている論理リンク制御フレームサイズを用いて、パケットデータが再選択後のセルに送信される。再選択中止信号が受信された場合、記憶されている論理リンク制御フレームサイズを用いて、現在選択されているセルへのパケットデータの送信が続行される。このように、本発明は、別のセルに対する再選択が行なわれる前に、データ転送セッションにおいて論理リンク制御フレームサイズを動的に調整することにより、ユーザーデータ転送速度に対するセル再選択の影響を低減させる。
【００１３】
図３は、本発明による通信システムにおいて、セル再選択時にデータスループットを最大にするための装置の概略図である。図３に示すように、本発明による通信システムは、ネットワーク３０２との間でデータの送信及び受信を行なうための移動局３００を備える。移動局３００の例として、セルラー式電話機、携帯用小型無線呼出機、個人情報端末（ＰＤＡ）、又は類似の無線機器などがある。移動局３００とネットワーク３０２とは、同等の論理リンク制御調整部３０４と、制御層３０５とを共通に有し、制御層３０５は、論理リンク制御（ＬＬＣ）層３０６、無線リンク制御（ＲＬＣ）層３０８、メディアアクセス制御（ＭＡＣ）層３１０及び物理層３１２など、同じ階層関係にある制御層を有する。論理リンク制御調整部３０４は、論理リンク制御フレーム長を調整するための調整モジュール３２４と、メモリ３２８とを共通に備える。これらについては下に記載する。
【００１４】
移動局３００とネットワーク３０２との間で作用セルを介して送信されるパケットデータは、論理リンク制御層３０６において構成され、論理リンク制御フレーム内で送信される。このとき、論理リンク制御フレームは最大１５３０オクテットの、可変長フレームである。論理リンク制御フレームが、このデータプレーンを通って論理的に下方に伝送される際に、このフレームは、２２〜５４オクテットのブロックサイズを有する、複数の無線リンク制御データブロックに分割される。無線リンク制御データブロックの各々は、冗長性を持たせるために、４つの物理層バーストを介してインターリーブされる。無線リンク制御層３０８は、主に無線層でのエラー訂正を行なっており、フェージングチャネルから発生する定期的なエラーを吸収するほか、ＧＰＲＳ／ＥＤＧＥデータ送信の確立（ｓｅｔｕｐ）及び切断（ｔｅａｒｄｏｗｎ）の特定の側面を処理している。
【００１５】
また、ＧＰＲＳ／ＥＤＧＥデータフレームが、無線リンク制御層３０８から個々のメディアアクセス制御（ＭＡＣ）層３１０に送信され、ＭＡＣ層３１０は、特定の点で転送するために移動局３００の権利を移動局３００に通知するために用いるロジックを主に含む、各物理層３１２との間のパケットベースの情報の送信及び受信を管理している。また、メディアアクセス制御層３１０は、ダウンリンク側で移動局３００に送信されたメッセージを認識する。最後に、物理層３１２は、無線周波数ハードウェアと呼処理装置（図示なし）との間のインターフェイスを提供し、物理データの送信及び受信のスケジューリング、受話器音量制御、送信機出力制御、信号レベル測定などを行なっている。
【００１６】
図４は、本発明による通信システムにおける、セル再選択時のデータスループットのデータフロー図である。図４は、本発明の方法並びに装置を用いて移動局３００からネットワーク３０２にデータを送信する際のデータの流れを示す。しかし、上記したように、ネットワーク３０２は、移動局３００の層３０６〜３１２の全てに対応する階層構造のほか、同等の論理リンク制御調整部３０４を有するため、ネットワーク３０２から移動局３００にデータを送信する場合も、本発明の方法並びに装置は同様に動作することが理解される。このため、ネットワーク３０２から移動局３００にデータを送信する場合については、簡潔を記すために説明を省く。しかし、ネットワーク制御の再選択が行なわれる環境でのネットワーク３０２から移動局３００へのダウンリンク送信の際には、ネットワーク３０２は、移動局３００から送信される電力測定情報を用いて、移動局３００がいつ他のセルに対する再選択を実施するのかを判定する。移動局３００がどのセルを再選択するのか、及びいつ再選択が行なわれるかが判定される。この電力測定情報は、下に記載する再選択保留信号及び再選択中止信号であると見なされる。
【００１７】
図１，３，４に示すように、セル１１４が移動局３００によって作用セルとして選択されると、移動局３００は、セル１１４を介してネットワーク３０２にパケットデータを送信する。移動局３００は、これと並行して、セル１０２〜１１６からの信号の特性を監視し続けている。移動局３００から送信されるパケットデータが移動局３００の論理リンク制御層３０４で構成され、論理リンク制御フレームでセル１１４に送信される。このとき、論理リンク制御フレームは最大１５３０オクテットの、可変長フレームである。論理リンク制御フレームが、このデータプレーンを通って論理的に下方に伝送される際に、このフレームは、２２〜５４オクテットのブロックサイズを有する、複数の無線リンク制御データブロックに分割される。無線リンク制御データブロックの各々は、冗長性を持たせるために、物理層３１２において４つの物理層バーストを介してインターリーブされる。
【００１８】
論理リンク制御フレームは可変長であるが、仮に論理リンク制御フレーム長が１０００オクテットであるとすると、チャネル符号化方式ＣＳ−１において論理リンク制御フレームを送信するためには５３個の無線リンク制御データブロックが必要となる。データ送信の対象である物理層３１２に対応する物理チャネルドメイン内の全ブロック期間がスケジューリングされていると仮定すると、移動局は、５３個の無線リンク制御データブロックを用いて、論理リンク制御フレームをセル１１４に送信する。その際、４つの物理層バーストに対応する４つの無線リンク制御ブロックをセル１１４が受信する毎に、セル１１４は、肯定応答メッセージを移動局３００に送信する。
【００１９】
図４に示すように、より詳細には、論理リンク制御フレームｘにおいて、移動局３００から選択されたセル１１４にパケットデータが送信されようとしており、論理リンク制御フレームｘの長さが例えば１０００オクテットである場合、移動局３００は、論理リンクフレームｘに対応する無線リンク制御ブロック１〜４をセル１１４に送信し、送信を開始する。セル１１４は、無線リンク制御ブロック１〜４を受信すると、肯定応答メッセージ４００を移動局３００に送信し、無線リンク制御ブロック１〜４の受信を通知する。移動局３００は、肯定応答メッセージ４００を受信すると、無線リンク制御ブロック５〜８で論理リンク制御フレームｘの次の部分を送信する。セル１１４は無線リンク制御ブロック５〜８を受信すると、肯定応答を返す。以降この処理が続行される。この処理は、最後の無線リンク制御ブロック、すなわち論理リンク制御フレームｘに対応する無線リンク制御ブロック＜ｌａｓｔ＞が送信され、論理リンク制御フレームｘの送信に必要な５３個の無線リンク制御ブロックの全てに対し、セル１１４によって肯定応答が返されるまで続く。
【００２０】
移動局３００は、論理リンク制御フレームｘの送信を完了すると、次の論理リンク制御フレームｘ＋１が送信可能であれば、これを送信する。この場合も、送信に必要な無線リンク制御ブロックの数は、論理リンク制御フレームｘ＋ｌの長さによって決まる。移動局３００は、論理リンクフレームｘ＋１に対応する無線リンク制御ブロック１〜４をセル１１４に送信し、次の論理リンク制御フレームｘ＋１の送信を開始する。上記したように、セル１１４は、４つの無線リンク制御ブロックを受信する度に、肯定応答メッセージを送信し、この処理は、論理制御フレームｘ＋１に対応する最後の無線リンク制御ブロック＜ｌａｓｔ＞が送信されるまで続く。移動局３００は、論理リンク制御フレームｘ＋１の送信を完了すると、次の論理リンク制御フレームｘ＋２が送信可能であれば、これを送信する。セル１１４は４つの無線リンク制御ブロックを受信する度に、肯定応答メッセージを送信し、この処理が続く。データ送信処理は、移動局３００からのパケットデータの送信が完了するか、中断されるか、中止されるまで続行される。パケットデータの送信が完了するか、中断されるか、中止されると、再選択処理が終了する。
【００２１】
移動局３００は、パケットデータの送信中に、別のセル、例えばセル１１６が、作用セルとして再選択の候補となっていることを検知し始める。別のセルの検知は、パケットデータの送信中のどの時点でも発生しうる。例えば、図４に示すように、論理リンク制御フレームｘに対応する最後の無線リンク制御ブロック＜ｌａｓｔ＞の送信前の時間ｔ１に発生することがある。不要な選択の発生をできるだけ低減させるために、現行のＧＳＭ仕様であるＧＳＭ  ０５．０８「デジタルセルラー通信システム（フェーズ２＋）；無線サブシステムリンク制御」、欧州電気通信標準化機構（ＥＴＳＩ）、欧州標準（電気通信シリーズ）は、隣接するセルが再選択されるためには、その隣接セルの信号品質が、再選択前の少なくとも５秒間は現在のセルより高くなければならないと規定している。本発明は、再選択前の５秒の間隔を、本発明の方法並びに装置を用いたデータ送信セッション時に、論理リンク制御フレームサイズを動的に変更するための、論理的入力として利用している。このように、本発明は、データ送信セッション中に論理リンク制御フレームサイズを動的に変更することによって、データスループットを最大にする。
【００２２】
より詳細には、図３，４に示すように、本発明によると、時間ｔ１において、セル１１６が再選択の候補となっていることを移動局３００が検知すると、物理層３１２は、調整モジュール３２４に再選択保留信号４０２を送信することによって、論理リンク制御調整部３０４に通知する。本発明によると、再選択保留信号４０２は、５秒の間隔（時間ｔ１）の開始と同時に送信される。再選択保留信号４０２が受信されると、論理リンク制御層３０６は、現在の論理リンク制御フレームサイズ信号３３２を送信し、送信が未だ完了していない論理リンク制御フレームサイズを調整モジュール３２４に通知する。このサイズは、図４の例では論理リンク制御フレームｘのサイズである。次に調整モジュール３２４は、論理リンク制御フレームｘのフレームサイズを、現在の論理リンク制御フレームサイズとしてメモリ３２８に記憶する。次に、調整モジュール３２４は、所定の最小値信号３３４を論理リンク制御層３０６に送信することによって、論理リンク制御フレーム長を所定の最小値に設定する。所定の最小値は、本発明の好適な実施形態によると、１００オクテットである。本発明では、１００オクテットを論理リンク制御フレーム長の所定の値として用いている。しかし、本発明は、所定の論理リンク制御フレーム長として１００オクテットを用いることにのみ限定されず、論理リンク制御フレーム長の値を使用するように本発明は意図されることが理解される。
【００２３】
上記のように、本発明によると、論理リンク制御層３０６で論理リンク制御フレーム長が所定の最小値に設定されるまで、移動局３００は正常フレームサイズ状態で作動する。しかし、論理リンク制御フレーム長が所定の最小値に設定されると、移動局３００は、正常フレームサイズ状態から最小フレームサイズ状態へと移行する。
【００２４】
上記したように、移動局３００が最小フレームサイズ状態にある場合、移動局３００は、所定の最小論理制御リンク長と、これに対応する無線リンク制御ブロック数とを用いて、次の論理リンク制御フレームｘ＋１をセル１１４に送信する。無線リンク制御ブロックの数は、使用されるチャネル符号化方式によって決まり、（ＬＬＣ）ペイロードサイズ／（ＲＬＣデータブロックペイロードサイズ）＋（ＬＬＣペイロードサイズ）ｍｏｄ（ＲＬＣデータブロックペイロードサイズ）の剰余で求められる。したがって、論理リンク制御フレーム長が１００オクテットである場合、ＣＳ−１符号化方式おいて必要とされる無線リンク制御ブロックの数は、６無線リンク制御データブロックとなる。このように、データの送信に必要な無線リンク制御ブロックの数が、５３無線リンク制御ブロックから、１００オクテットのフレーム長の最小フレームサイズ状態時には６無線リンク制御ブロックにまで減少する可能性がある。
【００２５】
移動局３００は、次の論理リンク制御フレームｘ＋１に対応する最後の無線リンク制御ブロックが送信されたら、所定の最小論理制御リンク長と、これに対応する無線リンク制御ブロック数とを用いて、次の論理リンク制御フレームｘ＋２を送信し、セル１１４は、無線リンク制御ブロックの受信を通知する。この処理は、論理リンク制御フレームｘ＋２に対応する最後の無線リンク制御ブロック＜ｌａｓｔ＞が送信されるまで続く。次に、移動局３００は、所定の最小論理制御リンク長と、これに対応する無線リンク制御ブロック数とを用いて、次の論理リンク制御フレームｘ＋３を送信して処理を続行し、セル１１４は、無線リンク制御ブロックの受信を通知する。上記したように、この処理は、論理リンク制御フレームｘ＋３に対応する最後の無線リンク制御ブロック＜ｌａｓｔ＞が送信されるまで続行される。
【００２６】
図３，４に示すように、時間ｔｓｅｌｅｃｔにおいて、移動局３００は、セル１１４での現在の一時ブロックフローを中止して、移動局３００がセル１１６を新たな作用セルとして再選択するように、セル１１６での一時ブロックフローを再確立する。この結果、時間ｔｓｅｌｅｃｔにおいて、物理層３１２から論理リンク制御調整部３０４の調整モジュール３２４に、再選択完了信号４０４が送信される。
【００２７】
再選択完了信号４０４が、論理リンク制御フレーム（例えば、論理リンク制御フレームｘ＋３）の送信中に受信されたため、移動局３００は、現行のＧＳＭ仕様であるＧＳＭ  ０４．６０「デジタルセルラー通信システム（フェーズ２＋）；汎用パケット無線サービス（ＧＰＲＳ）；移動局（ＭＳ）基地局システム（ＢＳＳ）インターフェイス；無線リンク制御／メディアアクセス制御（ＲＬＣ／ＭＡＣ）プロトコル」、欧州電気通信標準化機構（ＥＴＳＩ）、欧州標準（電気通信シリーズ）に準拠する公知の順序整合手順に従う。このため、新たな作用セル１１６で一時ブロックフローが再確立されたら、移動局３００は、論理リンク制御フレームサイズをメモリ３２８にあらかじめ記憶されている値に再設定することによって、無線リンク制御データブロック伝送ウィンドウを再構成する。次に、移動局３００は、このあらかじめ記憶されている論理リンク制御フレームサイズを用いて、最後の肯定応答されなかった論理リンク制御フレーム（すなわち論理リンク制御フレームｘ＋３）の最初の無線リンク制御ブロックを送信する。
【００２８】
このため、図４に示すように、移動局３００は、最後の肯定応答されなかった論理リンク制御フレームｘ＋３のセル１１６への送信を開始し、あらかじめ記憶されている論理リンク制御フレームサイズ（１０００オクテットなど）を用いて、対応する無線リンク制御ブロックを、最初の無線リンク制御ブロックから順に再送信する。つまり、移動局３００は正常フレームサイズ状態に戻る。
【００２９】
図４では、５秒の警告期間の終了時点（すなわちｔ１＋５秒）が過ぎた後に再選択が発生しているが、信号強度の損失等の特定の理由により、５秒の警告期間（ｔ１＋５秒）中に再選択が発生しないこともあれば、システム要件によって定義される、５秒の警告期間後の所定の時間間隔の間に再選択が発生しないこともある。このため、本発明によれば、システム要件によって定義される何らかの理由により、５秒の警告期間（ｔ１＋５秒）の間に再選択が完了しなかったか、再選択が中止された場合、再選択中止信号４０６（図３）が、物理層３１２から論理リンク制御調整部３０４の調整モジュール３２４に送信される。再選択中止信号４０６が調整モジュール３２４で受信されると、移動局３００は、論理リンク制御フレームサイズをメモリ３２８にあらかじめ記憶されている値に再設定することによって、無線リンク制御データブロック伝送ウィンドウを再構成する。次に、移動局３００は、このあらかじめ記憶されている論理リンク制御フレームサイズを用いて、最後の肯定応答されなかった論理リンク制御フレーム（すなわち論理リンク制御フレームｘ＋３）の最初の無線リンク制御ブロックを送信して、最後に選択されたセル（すなわちセル１１４）へのパケットデータの送信を続行する。
【００３０】
論理リンク制御フレーム長の値として１００オクテットを用いて本発明を記載したが、本発明によれば、所定の論理リンク制御フレーム長のサイズに任意の値を使用できることが理解される。例えば、チャネル符号化方式毎に、無線リンク制御ブロックのペイロードサイズを基準にした妥当な推定値と、統計的決定値（トランスポート層において頻繁に送信される制御パケットに対応できる程度に大きなサイズなど）とに基づく最小フレームサイズを使用してもよい。別法として、信号強度によって決定され得る現在のセルに残存する時間の推定値、一時ブロックフローにおいて転送すべき残りのデータ量、或いは上記の要因や別の要因の組み合わせに基づいて、無線リンク制御フレーム長を「できるだけ大きな」サイズに調整してもよい。
【００３１】
図５，６は、本発明による、論理リンク制御フレームサイズを動的に調整するための方法を表すフローチャートである。図４，５に示すように、正常フレームサイズ状態（ステップ５００）にある調整モジュール３２４は、再選択保留信号４０２が受信されているか否かを判定する（ステップ５０２）。調整モジュール３２４は、ステップ５０２で再選択保留信号が受信されていた場合、現在の論理リンク制御フレームサイズをメモリ３２８に記憶し（ステップ５０４）、論理リンク制御フレームサイズを所定の値に設定する（ステップ５０６）。ステップ５０４〜５０６が完了すると、移動局３００は最小フレームサイズ状態に移行する（ステップ５０８）。
【００３２】
図４，６に示すように、最小フレームサイズ状態（ステップ５１０）において、再選択信号４０２〜４０６のうちの１つが受信されると（ステップ５１２）、調整モジュール３２４はこの信号が、再選択保留信号４０２、再選択完了信号４０４、再選択中止信号４０６のうちのいずれであるかを判定する（ステップ５１４）。再選択保留信号４０２が受信された場合、処理はステップ５１０に戻り、調整モジュール３２４は処理再選択信号４０２〜４０６の受信待機に入る（ステップ５１２）。ステップ５１４で、再選択完了信号４０２又は再選択中止信号４０６が受信されたと判定された場合、調整モジュール３２４は、論理リンク制御フレームサイズをあらかじめ記憶されている値に設定し（ステップ５１６）、移動局３００は正常フレームサイズ状態に移行する（ステップ５１８）。
【００３３】
図７は、本発明による、論理リンク制御フレーム長を変えた場合の実際のユーザーデータスループットの変動を示すグラフである。プロットは、５００オクテット及び１５００オクテットの論理リンク制御フレームを用いたときに、本発明の方法並びに装置を用いた場合及び用いない場合に、再選択がユーザーデータスループットに及ぼす累積効果を１５秒毎にシミュレーションした累積スループット速度を示す。より詳細には、図７に示すように、本発明の方法並びに装置を使用せずに５００オクテット及び１５００オクテットの論理リンク制御フレームを用いた場合（それぞれプロットＡ，Ｂで示す）、スループットはすぐに７，２００ビット／秒未満に低下する。これに対し、本発明の方法並びに装置を使用して、５００オクテット及び１５００オクテットの論理リンク制御フレームを用いた場合（それぞれプロットＣ，Ｄで示す）、スループットは７，３５０ビット／秒に低下する。
【００３４】
したがって、図７のシミュレーションからわかるとおり、本発明は、再選択前の５秒の警告期間の間に、データ送信セッションにおいて論理リンク制御フレームサイズを動的に調整することによって、ユーザーデータ転送速度に対するセル再選択の影響を低減させる。
【００３５】
本発明の特定の実施形態を示し、その詳細を記載したが、これらは変更され得る。したがって、特許請求の範囲が、この種の変更例や変形例は、本発明の真の精神並びに範囲に含まれることが意図される。
【図面の簡単な説明】
【図１】本発明の動作を説明するために用いる代表的なセルラー通信システムの概略図。
【図２】ＧＰＲＳ／ＥＤＧＥのデータプレーンの一部を示す概略図。
【図３】本発明による通信システムにおいて、セル再選択時にデータスループットを最大にするための装置の概略図。
【図４】本発明による通信システムにおける、セル再選択時のデータスループットのデータフロー図。
【図５】本発明による、論理リンク制御フレームサイズを動的に調整するための方法を表すフローチャート。
【図６】本発明による、論理リンク制御フレームサイズを動的に調整するための方法を表すフローチャート。
【図７】本発明による、論理リンク制御フレーム長を変えた場合の実際のユーザーデータスループットの変動を示すグラフ。
【図１】
2004520786.tif 000003
【図２】
2004520786.tif 000004
【図３】
2004520786.tif 000005
【図４】
2004520786.tif 000006
【図５】
2004520786.tif 000007
【図６】
2004520786.tif 000008
【図７】
2004520786.tif 000009
【国際公開パンフレット】
2004520786.tif 000010
2004520786.tif 000011
2004520786.tif 000012
2004520786.tif 000013
2004520786.tif 000014
2004520786.tif 000015
2004520786.tif 000016
2004520786.tif 000017
2004520786.tif 000018
2004520786.tif 000019
2004520786.tif 000020
2004520786.tif 000021
2004520786.tif 000022
2004520786.tif 000023
2004520786.tif 000024
2004520786.tif 000025
2004520786.tif 000026
2004520786.tif 000027
2004520786.tif 000028
2004520786.tif 000029
2004520786.tif 000030
2004520786.tif 000031
2004520786.tif 000032
2004520786.tif 000033
2004520786.tif 000034
2004520786.tif 000035
2004520786.tif 000036
2004520786.tif 000037
2004520786.tif 000038
2004520786.tif 000039
【国際調査報告】
2004520786.tif 000040